(57)【特許請求の範囲】
【請求項１】
ルータから送信されるルータ広告を元に生成されるＩＰアドレスを用いて通信を行なう通信機器において、
ＩＰアドレスの生成に用いられる送信元のルータのＩＰアドレスの設定を含む、複数の通信に関するユーザによる設定を保持するユーザ設定保持手段と、
ルータ広告が送信されてきたときに、該ルータ広告の送信元のルータのＩＰアドレスが前記ユーザ設定保持手段に保持されているＩＰアドレスの生成に用いられる送信元のルータのＩＰアドレスか否かを判定する判定手段と、
前記ルータ広告の送信元のルータのＩＰアドレスが前記ユーザ設定保持手段に保持されているときには前記判定手段の判定を元にＩＰアドレスが生成されるように制御し、前記ルータ広告の送信元のルータのＩＰアドレスが前記ユーザ設定保持手段に保持されていないときには前記判定手段の判定を元にユーザに警告を行うよう制御を行う設定制御手段と、を備える、
ことを特徴とする通信機器。
【請求項２】
前記設定は、ステートレスアドレスのライフタイム長であることを特徴とする請求項１に記載の通信機器。
【請求項３】
ルータから送信され情報を監視するネットワーク情報監視手段を有することを特徴とする請求項１に記載の通信装置。
【請求項４】
前記設定は、デフォルトゲートウェイのＩＰアドレスであることを特徴とする請求項１から３のいずれか１項に記載の通信機器。
【請求項５】
前記設定は、デフォルトゲートウェイになりうるルータのＩＰアドレスであることを特徴とする請求項１から４のいずれか１項に記載の通信機器。
【請求項６】
前記設定は、前記設定制御手段が通信に関する警告をユーザに表示するかどうかの警告表示設定であることを特徴とする請求項１から５のいずれか１項に記載の通信機器。
【請求項７】
前記警告表示設定は、ＩＰアドレスが失効となることを警告する設定であることを特徴とする請求項６に記載の通信機器。
【請求項８】
前記警告表示設定は、ＩＰアドレスが失効となったことを警告する設定であることを特徴とする請求項６または７に記載の通信機器。
【請求項９】
前記警告表示設定は、ユーザにより登録されていないルータからのルータ広告を受信したことを警告する設定であることを特徴とする請求項６から８のいずれか１項に記載の通信機器。
【請求項１０】
前記警告表示設定は、ＩＰアドレスが重複したことを警告する設定であることを特徴とする請求項６から９のいずれか１項に記載の通信機器。
【請求項１１】
前記警告表示設定は、デフォルトゲートウェイが変更されたことを警告する設定であることを特徴とする請求項６から１０のいずれか１項に記載の通信機器。
【請求項１２】
前記警告表示設定は、ルータ広告で提供されたライフタイム長が所定の値より短いことを警告する設定であることを特徴とする請求項６から１１のいずれか１項に記載の通信機器。
【請求項１３】
ルータから送信されるルータ広告を元に生成されるＩＰアドレスを用いて通信を行なう通信機器での通信方法であって、
ＩＰアドレスの生成に用いられる送信元のルータのＩＰアドレスの設定を含む、複数の通信に関するユーザによる設定をユーザ設定保持手段で保持するユーザ設定保持段階と、
ルータ広告が送信されてきたときに、該ルータ広告の送信元のルータのＩＰアドレスが前記ユーザ設定保持段階で保持されたＩＰアドレスの生成に用いられる送信元のルータのＩＰアドレスか否かを判定する判定段階と、
前記ルータ広告の送信元のルータのＩＰアドレスが前記ユーザ設定保持手段に保持されているときには前記判定段階の判定を元にＩＰアドレスが生成されるように制御し、前記ルータ広告の送信元のルータのＩＰアドレスが前記ユーザ設定保持手段に保持されていないときには前記判定段階の判定を元にユーザに警告を行うよう制御を行う設定制御段階と、
を有することを特徴とする通信方法。
【請求項１４】
前記設定は、ステートレスアドレスのライフタイム長であることを特徴とする請求項１３に記載の通信方法。
【請求項１５】
ルータから送信され情報を監視するネットワーク情報監視段階を有することを特徴とする請求項１３に記載の通信方法。
【請求項１６】
前記設定は、デフォルトゲートウェイのＩＰアドレスであることを特徴とする請求項１３から１５のいずれか１項に記載の通信方法。
【請求項１７】
前記設定は、デフォルトゲートウェイになりうるルータのＩＰアドレスであることを特徴とする請求項１３から１６のいずれか１項に記載の通信方法。
【請求項１８】
前記設定は、前記設定制御段階が通信に関する警告をユーザに表示するかどうかの警告表示設定であることを特徴とする請求項１３から１７のいずれか１項に記載の通信方法。
【請求項１９】
前記警告表示設定は、ＩＰアドレスが失効となることを警告する設定であることを特徴とする請求項１８に記載の通信方法。
【請求項２０】
前記警告表示設定は、ＩＰアドレスが失効となったことを警告する設定であることを特徴とする請求項１８または１９に記載の通信方法。
【請求項２１】
前記警告表示設定は、ユーザにより登録されていないルータからのルータ広告を受信したことを警告する設定であることを特徴とする請求項１８から２０のいずれか１項に記載の通信方法。
【請求項２２】
前記警告表示設定は、ＩＰアドレスが重複したことを警告する設定であることを特徴とする請求項１８から２１のいずれか１項に記載の通信方法。
【請求項２３】
前記警告表示設定は、デフォルトゲートウェイが変更されたことを警告する設定であることを特徴とする請求項１８から２２のいずれか１項に記載の通信方法。
【請求項２４】
前記警告表示設定は、ルータ広告で提供されたライフタイム長が所定の値より短いことを警告する設定であることを特徴とする請求項１８から２３のいずれか１項に記載の通信方法。
【請求項２５】
請求項１３から２４のいずれか１項に記載の通信方法をコンピュータで実行させるための通信プログラム。
【発明の詳細な説明】
【技術分野】
【０００１】
本発明は、ＩＰｖ６を用いて通信を行う通信機器、ＩＰｖ６アドレス設定方法、ＩＰｖ６アドレス設定プログラムに関する。
【背景技術】
【０００２】
近年ＩＰｖ６に対応した通信機器が増えてきている。ＩＰｖ６では機器毎に必ず一つリンクローカルアドレスが割り振られる為、ケーブルを接続した時点で、ユーザは何も設定する事無く直ぐに他機器と通信できる事を特徴としている。
【０００３】
上記リンクローカルアドレス以外に、ＩＰｖ６アドレスにはステートレスアドレスがある。このアドレスは、ルータから配布されるＲＡ（router advertisement）を元に生成されるものである。このステートレスアドレスは、有効期限があり、有効期限を超過すると、アドレスを使用することができなくなる。
【０００４】
有効期限は、ルータから定期的に送信されるＲＡにより更新されるので、通常は有効期限を気にせずに使用できるようになっている。
【発明の開示】
【発明が解決しようとする課題】
【０００５】
しかしながら、ルータの電源が落ちたりすることで、ルータが正常に動作できない場合、アドレスが失効し、通信を継続できなくなる。その場合、例えば印刷するための画像データが送信中であっても使用できなくなるため、印刷することが不可能となる。
【０００６】
このことは、例えば有効期限が著しく短いライフタイムのＲＡにより生成されたアドレスであれば、一層起こりえる問題である。
【０００７】
さらに、ルータを騙りＲＡを送信する端末も存在し、このようなＲＡに元に生成されたアドレスは、セキュリティ上問題がある。
【０００８】
本発明はこのような問題点に鑑み、ＩＰｖ６での通信における適切な動作を自動的に実行する通信機器、通信方法、通信プログラムを提供することを目的とする。
【課題を解決するための手段】
【０００９】
上記課題を解決するために、本発明は、ルータから送信されるルータ広告を元に生成されるＩＰアドレスを用いて通信を行なう通信機器において、
ＩＰアドレスの生成に用いられる送信元のルータのＩＰアドレスの設定を含む、複数の通信に関するユーザによる設定を保持するユーザ設定保持手段と、
ルータ広告が送信されてきたときに、該ルータ広告の送信元のルータのＩＰアドレスが前記ユーザ設定保持手段に保持されているＩＰアドレスの生成に用いられる送信元のルータのＩＰアドレスか否かを判定する判定手段と、
前記ルータ広告の送信元のルータのＩＰアドレスが前記ユーザ設定保持手段に保持されているときには前記判定手段の判定を元にＩＰアドレスが生成されるように制御し、前記ルータ広告の送信元のルータのＩＰアドレスが前記ユーザ設定保持手段に保持されていないときには前記判定手段の判定を元にユーザに警告を行うよう制御を行う設定制御手段と、を備える、
ことを特徴とする。
【００１０】
また、上記課題を解決するために、本発明は、前記設定は、ステートレスアドレスのライフタイム長であることを特徴とする。
【００１１】
また、上記課題を解決するために、本発明は、ルータから送信され情報を監視するネットワーク情報監視手段を有することを特徴とする。
【００１２】
また、上記課題を解決するために、本発明は、前記設定は、デフォルトゲートウェイのＩＰアドレスであることを特徴とする。
【００１３】
また、上記課題を解決するために、本発明は、前記設定は、デフォルトゲートウェイになりうるルータのＩＰアドレスであることを特徴とする。
【００１４】
また、上記課題を解決するために、本発明は、前記設定は、前記設定制御手段が通信に関する警告をユーザに表示するかどうかの警告表示設定であることを特徴とする。
【００１５】
また、上記課題を解決するために、本発明は、前記警告表示設定は、ＩＰアドレスが失効となることを警告する設定であることを特徴とする。
【００１６】
また、上記課題を解決するために、本発明は、前記警告表示設定は、ＩＰアドレスが失効となったことを警告する設定であることを特徴とする。
【００１７】
また、上記課題を解決するために、本発明は、前記警告表示設定は、ユーザにより登録されていないルータからのルータ広告を受信したことを警告する設定であることを特徴とする。
【００１８】
また、上記課題を解決するために、本発明は、前記警告表示設定は、ＩＰアドレスが重複したことを警告する設定であることを特徴とする。
【００１９】
また、上記課題を解決するために、本発明は、前記警告表示設定は、デフォルトゲートウェイが変更されたことを警告する設定であることを特徴とする。
【００２０】
また、上記課題を解決するために、本発明は、前記警告表示設定は、ルータ広告で提供されたライフタイム長が所定の値より短いことを警告する設定であることを特徴とする。
【００２１】
また、上記課題を解決するために、本発明は、ルータから送信されるルータ広告を元に生成されるＩＰアドレスを用いて通信を行なう通信機器での通信方法であって、
ＩＰアドレスの生成に用いられる送信元のルータのＩＰアドレスの設定を含む、複数の通信に関するユーザによる設定をユーザ設定保持手段で保持するユーザ設定保持段階と、
ルータ広告が送信されてきたときに、該ルータ広告の送信元のルータのＩＰアドレスが前記ユーザ設定保持段階で保持されたＩＰアドレスの生成に用いられる送信元のルータのＩＰアドレスか否かを判定する判定段階と、
前記ルータ広告の送信元のルータのＩＰアドレスが前記ユーザ設定保持手段に保持されているときには前記判定段階の判定を元にＩＰアドレスが生成されるように制御し、前記ルータ広告の送信元のルータのＩＰアドレスが前記ユーザ設定保持手段に保持されていないときには前記判定段階の判定を元にユーザに警告を行うよう制御を行う設定制御段階と、
を有することを特徴とするとする。
【００２２】
また、上記課題を解決するために、本発明は、前記設定は、ステートレスアドレスのライフタイム長であることを特徴とする。
【００２３】
また、上記課題を解決するために、本発明は、ルータから送信され情報を監視するネットワーク情報監視段階を有することを特徴とする。
【００２４】
また、上記課題を解決するために、本発明は、前記設定は、デフォルトゲートウェイのＩＰアドレスであることを特徴とする。
【００２５】
また、上記課題を解決するために、本発明は、前記設定は、デフォルトゲートウェイになりうるルータのＩＰアドレスであることを特徴とする。
【００２６】
また、上記課題を解決するために、本発明は、前記設定は、前記設定制御段階が通信に関する警告をユーザに表示するかどうかの警告表示設定であることを特徴とする。
【００２７】
また、上記課題を解決するために、本発明は、前記警告表示設定は、ＩＰアドレスが失効となることを警告する設定であることを特徴とする。
【００２８】
また、上記課題を解決するために、本発明は、前記警告表示設定は、ＩＰアドレスが失効となったことを警告する設定であることを特徴とする。
【００２９】
また、上記課題を解決するために、本発明は、前記警告表示設定は、ユーザにより登録されていないルータからのルータ広告を受信したことを警告する設定であることを特徴とする。
【００３０】
また、上記課題を解決するために、本発明は、前記警告表示設定は、ＩＰアドレスが重複したことを警告する設定であることを特徴とする。
【００３１】
また、上記課題を解決するために、本発明は、前記警告表示設定は、デフォルトゲートウェイが変更されたことを警告する設定であることを特徴とする。
【００３２】
また、上記課題を解決するために、本発明は、前記警告表示設定は、ルータ広告で提供されたライフタイム長が所定の値より短いことを警告する設定であることを特徴とする。
【００３３】
また、上記課題を解決するために、本発明は、請求項１３から２４のいずれか１項に記載の通信方法をコンピュータで実行させるための通信プログラム。
【発明の効果】
【００３４】
ルータを騙りＲＡを送信する端末が存在し、このようなＲＡを元に生成されたアドレスは、セキュリティ上問題があるが、本発明によれば、この問題を解決し、ＩＰｖ６での通信における適切な動作を自動的に実行する通信機器、通信方法、通信プログラムを提供できる。
【発明を実施するための最良の形態】
【００３５】
以下、本発明の実施の形態について図面に基づいて説明する。
【００３６】
図１は、ＩＰｖ６通信が行われるネットワーク機器が接続された構成を示す図である。図１には、２つのルータ１、２と、複数のＩＰｖ６対応機器（以下、通信機器と記す）と、それらを接続するネットワーク６とが示されている。
【００３７】
ＩＰｖ６において、通信機器は複数のＩＰｖ６アドレスを保有するという特徴をもっている。代表的なものに、通信機器に必ず設定されるリンクローカルアドレス、ルータから配布されるルータ広告（以下、ＲＡと記す）を元に生成されるステートレスアドレスがある。
【００３８】
通常、ＩＰｖ６に対応した通信機器は、リンクローカルアドレスの他にステートレスアドレスを所持する事が多い。何故なら、リンクローカルアドレスは同一ネットワークの通信機器としか通信する事ができないからである。ルータを超えた通信機器と通信する際にはグローバルアドレスが必要であり、そのグローバルアドレスに該当するのがステートレスアドレスである。
【００３９】
図１において、ルータ１は、プレフィックス「2001:1::/64」と「2002:1::/64」とを提供する。「2001:1::/64」は、通信機器５に提供され、「2002:1::/64」は通信機器３に提供されている。
【００４０】
そのため、通信機器５のステートレスアドレスは、「2001:1::1111:22FF:FE33:5555」となっている。また、通信機器３のステートレスアドレスは、「2002:1::1111:22FF:FE33:7777」となっている。
【００４１】
また、ルータ２は、プレフィックス「2003:1::/64」と「2004:1::/64」とを提供する。「2003:1::/64」は、通信機器３に提供され、「2004:1::/64」は、通信機器４に提供されている。
【００４２】
そのため、通信機器３のステートレスアドレスは、「2002:1::1111:22FF:FE33:7777」と「2003:1::1111:22FF:FE33:7777」となっている。また、通信機器４のステートレスアドレスは、「2004:1::1111:22FF:FE33:2222」となっている。
【００４３】
これらのステートレスアドレスには、ＩＰｖ４アドレスとは異なりライフタイムが存在し、ライフタイムが切れた時点でアドレスが失効するという特徴を持っている。具体的には、ルータが配布するプレフィックスには、preferred lifetimeとvalid lifetimeの２種類のライフタイムが設定されている。
【００４４】
preferred lifetimeの有効期限が切れると新たに通信を行う際に使用するのは推奨されず、valid lifetimeの有効期限が切れるとアドレスは失効してしまう。これにより、通信中にvalid lifetimeの有効期限が切れて突然通信できなくなってしまう事も発生しうる。
【００４５】
次に、図２を用いて通信機器のソフトウェアモジュール構成について説明する。図２には、アプリケーション１０と、ネットワーク制御部１１と、ＯＳ１２とが示されている。ネットワーク制御部１１は、ユーザ設定保持テーブル１３と、ユーザオプション判定部１４と、ネットワーク設定制御部１５と、ネットワーク情報監視部１６とを含む。また、ＯＳ１２は、ネットワークプロトコル１７と、ネットワーク通信ドライバ１８とを含む。
【００４６】
アプリケーション１０は、設定をユーザが行うためのものである。ユーザはこのアプリケーション１０を用いて後述する設定を行う。ユーザ設定保持テーブル１３は、通信時の動作に関するユーザによる設定を保持する。ユーザオプション判定部１４は、ユーザ設定保持テーブル１３に保持された内容に基づき、通信時の動作を判定する。ネットワーク設定制御部１５は、ユーザオプション判定部１４の判定に基づき、通信時の動作の制御を行う。
【００４７】
例えば、ネットワーク設定制御部１５は、ユーザがpreferred lifetimeの有効期限が切れた時点で通知して欲しい旨設定した場合、ＯＳからpreferred lifetimeの有効期限が切れた時点での情報をユーザに表示する。ネットワーク情報監視部１６は、ルータなどから送信される情報を監視する。
【００４８】
これらのアプリケーション１０と、ネットワーク制御部１１と、ＯＳ１２を含む通信プログラムは、着脱自在な記録媒体から通信装置に読み込まれるか、あるいはＲＯＭなどの記録装置に保持され、ＣＰＵによりＲＡＭなどを用いて実行される。
【００４９】
なお、以上説明したユーザ設定保持テーブル１３は、ユーザ設定保持手段に対応する。ユーザオプション判定部１４は、判定手段に対応する。ネットワーク設定制御部１５は、設定制御手段に対応する。
【００５０】
次に、図３のフローチャートを用いて、設定に関する処理を説明する。ステップＳ１０１は、ＩＰｖ６自動設定機能を利用するかどうかの判断である。ＩＰｖ６自動設定機能をユーザが利用しない場合は処理が終了する。この場合、ルータからのＲＡを受信せず、リンクローカルアドレスのみ生成され、ルータを超えた通信はできない。
【００５１】
ＩＰｖ６自動設定機能を利用する場合、ステップＳ１０２で、ＩＰｖ６自動設定機能は有効とされる。次のステップＳ１０３は、セキュリティモードを選択するかどうかの判断である。セキュリティモードを選択しない場合、処理は終了する。
【００５２】
セキュリティモードがユーザ任意と判断されると、ステップＳ１０４を経て、ステップＳ１０８で、ステートレスアドレスのライフタイム長を指定するかどうかの判断が行なわれる。ユーザが指定しない場合、ステップＳ１０９で、デフォルト値が指定される。指定する場合、ステップＳ１１０で、ユーザがライフタイム長を任意に指定する。
【００５３】
次のステップＳ１１１で、ＲＡ配布先ルータアドレスを設定するかどうかの判断が行なわれる。この設定は、設定されたＲＡ配布先ルータアドレスから送信されるＲＡのみでアドレスを生成する設定である。設定しない場合、ステップＳ１１２で、デフォルト値である全ルータが設定される。設定する場合、ステップＳ１１３で、ユーザがＲＡ配布先ルータアドレスを任意に設定する。
【００５４】
次のステップＳ１１４で、デフォルトゲートウェイアドレスを自動設定するかどうかの判断が行なわれる。設定する場合、ステップＳ１１５で、自動設定が有効に設定される。設定しない場合、ステップＳ１１６で、自動設定が無効とされ、ステップＳ１２１に処理が進む。
【００５５】
次のステップＳ１１７で、デフォルトゲートウェイになりうるルータのアドレスを指定するかどうかの判断が行なわれる。指定しない場合、ステップＳ１１８で、デフォルト値である全ルータが指定される。指定する場合、ステップＳ１１９で、ユーザがルータを任意に指定する。
【００５６】
ステップＳ１０３の説明に戻る。ステップＳ１０３では上述したユーザ任意が選択される以外に、ステップＳ１０５、１０６、１０７でセキュリティモード高中低を選択することができる。
【００５７】
セキュリティモード高中低とは、上述した項目を予めセキュリティレベルに応じて値が自動的に設定されているものである。例えば「セキュリティモード高」を選択すると、「ステートレスアドレスのライフタイム長の限定」、「ＲＡ配布先ルータの限定」が設定される。
【００５８】
次のステップＳ１２１で、警告表示を行なうかどうか判断される。行なわない場合、ステップＳ１２３警告表示が無効とされ、処理は終了する。行なう場合、ステップＳ１２２でセキュリティ表示が有効とされ、ステップＳ１２４で、警告表示優先度を設定するかどうか判断される。警告表示優先度を設定する場合、ステップＳ１２５で、デフォルト値が設定され、処理は終了する。警告表示優先度を設定しない場合、ステップＳ１２６で、ユーザが任意に設定し、処理は終了する。
【００５９】
この警告表示の設定処理について、図４のフローチャートを用いて説明する。ステップＳ２０１は、ステートレスアドレスの有効時間に関する警告を行なうかどうかの判断である。警告を行なわない場合、ステップＳ２１１に処理が進む。警告を行う場合、ステップＳ２０２で、preferred lifetimeとvalid lifetimeのいずれを設定するかの判断が行なわれる。
【００６０】
preferred lifetimeの場合、ステップＳ２０３で、preferred lifetimeの失効時設定が行われる。valid lifetimeの場合、ステップＳ２０４で、valid lifetimeの失効時設定が行われる。
【００６１】
次のステップＳ２０５で、失効前に警告を行なうかどうか判断される。警告を行う場合、ステップＳ２０６で有効が設定される。警告を行わない場合、ステップＳ２０７で無効が設定される。
【００６２】
ステップＳ２０８で、失効時に警告を行なうかどうか判断される。警告を行う場合、ステップＳ２０９で有効が設定される。警告を行わない場合、ステップＳ２１０で無効が設定される。
【００６３】
次のステップＳ２１１は、未登録のルータからのＲＡ受信した場合に警告を行うかどうかの判断がされる。警告を行う場合、ステップＳ２１２で有効が設定される。警告を行わない場合、ステップＳ２１３で無効が設定される。
【００６４】
次のステップＳ２１４は、アドレスが重複した場合に警告を行うかどうかの判断がされる。警告を行う場合、ステップＳ２１５から２２０で、いずれのアドレスに対する警告を行なうのかが設定され、ステップＳ２２１へ処理は進む。ステップＳ２１５から２２０に示されるアドレスは、ＩＰｖ６における種々のアドレスである。警告を行わない場合、ステップＳ２１３で無効が設定され、ステップＳ２２１へ処理が進む。
【００６５】
ステップＳ２２１で、デフォルトゲートウェイ変更時に警告を行なうかどうか判断される。警告を行う場合、ステップＳ２２２で有効が設定される。警告を行わない場合、ステップＳ２２３で無効が設定される。
【００６６】
次のステップＳ２２４で、ＲＡのライフタイム時間に対する警告出力についての設定が判断される。このＲＡのライフタイム時間に対する警告とは、ライフタイムが所定の時間より短いＲＡを受信した場合に発生する警告である。そして、その警告を出力する時間の長さを設定しない場合、ステップＳ２２５で上記所定の時間がデフォルト値とした設定が行われる。時間の長さを設定する場合、ステップＳ２２６では上記所定の時間がユーザにより設定される。
【００６７】
上述した処理において、ステートレスアドレスの有効期限の警告では、preferred lifetime, valid lifetimeの有効期限が切れる前、切れた時点にそれぞれ警告メッセージをユーザに通知するかどうかを選択する事ができる。これにより、ユーザは自分が使用しているステートレスアドレスが使用できなくなる時間を把握する事ができる。
【００６８】
また、未登録ルータからのＲＡ受信が有効であれば、未登録ルータからのＲＡを受信した際にユーザに通知される。これにより、自分の所属しているネットワーク上にルータが追加された、またはルータになりすまして不正にＲＡを送っている機器が自分所属しているネットワーク上に存在している事を把握する事ができる。
【００６９】
デフォルトゲートウェイ変更時の動作について説明する。通信機器に設定されるデフォルトゲートウェイは一つのみであるが、ＩＰｖ６ではデフォルトゲートウェイになりうるルータをデフォルトルータリストに保持している。現在設定されているデフォルトゲートウェイの到達性が確認できなくなった場合、ＯＳ内部で現在設定されているデフォルトゲートウェイをデフォルトルータリストの中から選び設定する。つまり、デフォルトゲートウェイが変更される事は、自ネットワークのルータやネットワーク構成に異常があったものと考えられる。上記状態がユーザに通知される事により、ユーザは自ネットワークの状態を把握する事ができる。
【００７０】
ＲＡのライフタイム時間による警告出力では、ルータから受信したＲＡの長さがある一定時間未満であれば、警告を表示するものである。これにより、なりすまし等により、ライフタイムの短いアドレスが生成される事を防ぐ事ができる。
【００７１】
なお、図３、４で説明したフローチャートでの設定内容は、上記フローチャートに行われるユーザ設定保持段階でユーザ設定保持テーブル１３に保持される。そして、ユーザ設定保持テーブル１３に保持された内容に基づき、通信時の動作を判定する判定段階を経て、この判定段階の判定に基づき、通信時の動作の制御を行う設定制御段階が実行される。
【００７２】
以上説明した警告などは、通信機器が有するオペレーションパネルに表示される。図５にオペレーションパネル表示例を示す。
【００７３】
表示例２０は、preferred lifetimeの失効前警告表示画面である。preferred lifetimeが失効する日時とそのアドレスとが表示される。
【００７４】
表示例２１は、preferred lifetimeの失効時警告表示画面である。preferred lifetimeが失効した日時とそのアドレスとが表示される。
【００７５】
表示例２２は、valid lifetimeの失効前警告表示画面である。valid lifetimeが失効する日時とそのアドレスとが表示される。
【００７６】
表示例２３は、valid lifetimeの失効時警告表示画面である。valid lifetimeが失効した日時とそのアドレスとが表示される。
【００７７】
表示例２４は、アドレスの重複時警告表示画面である。重複したアドレスの種類（図ではステートレスアドレス）とアドレスが表示される。
【００７８】
表示例２５は、デフォルトゲートウェイ変更時警告画面である。変更されたデフォルトゲートウェイのアドレスが表示される。
【００７９】
表示例２６は、ＲＡのライフタイム時間警告表示画面である。ライフタイム時間と、ＲＡを送信した機器のアドレスと、プレフィックスとが表示される。
【００８０】
以上が表示例であるが、警告が一度に複数発生した場合、ユーザが設定した表示優先度（もしくは機器が推奨している表示優先度）によって、警告表示を変更する。
【００８１】
なお、一度に表示できなかった警告メッセージや過去の表示メッセージは機器内部に保持され、ユーザが参照したい時にいつでも参照する事が可能である。これにより、ユーザは自機器や自ネットワーク内で発生した異常状態を常に把握する事ができる。
【図面の簡単な説明】
【００８２】
【図１】通信が行われるネットワーク機器が接続された構成を示す図である。
【図２】ソフトウェアモジュール構成を示す図である。
【図３】設定に関する処理を示すフローチャートである。
【図４】警告表示の設定処理を示すフローチャートである。
【図５】表示例を示す図である。
【符号の説明】
【００８３】
１、２  ルータ
３、４、５  通信機器
６  ネットワーク
１０  アプリケーション
１１  ネットワーク制御部
１２  ＯＳ
１３  ユーザ設定保持テーブル
１４  ユーザオプション判定部
１５  ネットワーク設定制御部
１６  ネットワーク情報監視部
１７  ネットワークプロトコル
１８  ネットワーク通信ドライバ
２０、２１、２２、２３、２４、２５、２６  表示例
【図１】
0004796353.tif 000002
【図２】
0004796353.tif 000003
【図３】
0004796353.tif 000004
【図４】
0004796353.tif 000005
【図５】
0004796353.tif 000006